(57)【要約】【課題】比較的重量のある照明部を確実に簡単に支持でき、また、レバー操作により設定された傾斜角度にすばやく簡単に変更可能な支持構造を提供する  【解決手段】スタンド部２０に一体的に設けられているリンク部材２１はスタンド部２０の回転支持部を中心に半径Ｒでスタンド部２０とともに回転する。このリンク部材２１をバネ７により弾性付勢された規制部５２により複数段階に規制する。この規制は、レバー４０の設定位置により決まる。レバー４０の位置設定により、スタンド部２０の角度が決まる。  【選択図】  図４
2005050735.tif 000002
【特許請求の範囲】
【請求項１】
照明部の裏面に一部が支持される照明部支持用部材と、
前記照明部支持用部材をその支持点を中心に所定角度内においてのみ回転自在とする回転規制部とを備え、
前記回転規制部は、
前記照明部支持用部材の支持点を回転中心として所定の半径で該照明部支持用部材の回転に応じて回転するリンク部材と、該リンク部材の前記所定角度を超える回転方向に該リンク部材の回転を規制する回転規制用部材と、該回転規制用部材による規制位置を複数段階に設定する規制位置設定手段と、を備えたことを特徴とする照明スタンドの支持構造。
【請求項２】
前記回転規制用部材を回転自在に保持する保持部材と、該保持部材により回転自在に保持されている前記回転規制用部材に対して前記所定角度を狭くする回転方向に弾性力を付勢する付勢部材とを備え、
前期規制位置設定手段は、前記回転規制用部材が前記付勢手段により回転しようとする付勢力に抗して該回転規制用部材の回転角度を複数段階に設定し、設定された回転速度の前記回転規制用部材の位置を前記規制位置とするレバー手段で構成した請求項１記載の照明スタンドの支持構造。
【請求項３】
前記照明部は、板状の照明部材で構成される請求項１または２記載の照明スタンドの支持構造。  
【発明の詳細な説明】
【技術分野】
【０００１】
この発明は、照明スタンドとその支持構造によって照明スタンドと設置面の角度を変化させることのできる照明スタンドの支持構造に関するものである。
【背景技術】
【０００２】
照明スタンドには、デザイン上多様なものがあるが、この中に、パネル状の照明部を支持する構造を持ったものが考えられている。このような照明スタンドとしては、例えば、鏡を支持するための支持構造が考えられる。
【０００３】
図７は上記支持構造の第１の概略構成図である。図４において、１０１ａはベース、１０２ａはスタンド金具、１０３ａは支え棒である。１０４ａは複数の溝である。この照明スタンドはベース１０１ａと、裏面でそれを支持するスタンド金具１０２ａと、それらベース１０１ａとスタンド金具１０２ａを固定するための支え棒１０３ａから成っている。この支え棒１０３ａはスタンド金具１０２ａより下側にあり、支え棒１０３ａの一端はベース１０１ａの裏側の溝１０４ａにより固定されている。この構成においては複数の溝１０４ａにおける支え棒１０３ａの固定位置を変化させることでべースと設置面との角度が変化する。
【０００４】
図８は第２の概略構成図である。図５において、１０１ｂはベース、１０２ｂはスタンド金具、１０３ｂは支え棒１０４ｂは複数の溝である。この照明スタンドはベース１０１ｂと、裏面でそれを支持するスタンド金具１０２ｂと、それらベース１０１ｂとスタンド金具１０２ｂを固定するための支え棒１０３ｂから成っている。この支え棒１０３ｂはスタンド金具１０２ｂより上側にあり、略コノ字型であり、２つの端部はスタンド金具１０２ｂに所定位置で固定され、支え棒１０３ｂのベース１０１ｂに平行な部分が溝１０４ｂに固定されている。この構成においても複数の溝１０４ｂにおける支え棒１０３ｂの固定位置を変化させることでベースと設置面の角度が変化する。
【０００５】
図９は第３の概略構成図である。図６において、１０１ｃはベース、１０２ｃはスタンド金具、１０３ｃは支え棒１０５はツマミネジである。この照明スタンドはベース１０１ｃと、裏面でそれを支持するスタンド金具１０２ｃと、それらベース１０１ｃとスタンド金具１０２ｃを固定するための支え棒１０３ｃと、スタンド金具１０２ｃと支え棒１０３ｃとを固定する為のツマミネジ１０５ｃとから成っている。この支え棒１０３ｃの１端部はスタンド金具１０２ｃより下部のベース１０１ｃの裏面に固定されており、中程をツマミネジ１０５ｃでスタンド金具１０２ｃに固定されている。、そのツマミネジ１０５ｃは支え棒１０３ｃに沿って移動可能であり、支え棒１０３ｃに沿って移動することにより、ベース１０１ｃと設置面の角度を変化させることができる。
【発明の開示】
【発明が解決しようとする課題】
【０００６】
ところが、前記各種の支持構造例では、ベースの傾斜角の変更時に支え棒を動かす必要があり、固定が不安定であり、重量のあるものを支持しようとする場合には確実な固定が難しかった。また、固定を確実なものにするため、別途ツマミネジ止めなどを必要とし、設置調整に手間を要した。
【０００７】
この発明の目的は、比較的重量のある照明部を確実に簡単に支持することの出来る照明スタンドの支持構造を提供することにある。また、レバー操作により設定された傾斜角度にすばやく簡単に変更可能であり、支え棒などを必要とせず外観上すっきりとしたコンパクトな形の照明スタンドの構造を提供することにある。
【課題を解決するための手段】
【０００８】
この発明は、照明部の裏面に一部が支持される照明部支持用部材と、
前記照明部支持用部材をその支持点を中心に所定角度内においてのみ回転自在とする回転規制部とを備え、
前記回転規制部は、
前記照明部支持用部材の支持点を回転中心として所定の半径で該照明部支持用部材の回転に応じて回転するリンク部材と、該リンク部材の前記所定角度を超える回転方向に該リンク部材の回転を規制する回転規制用部材と該回転規制用部材による規制位置を複数段階に設定する規制位置設定手段と、を備えたことを特徴としている。
【０００９】
また、この発明は、前記回転規制用部材を回転自在に保持する保持部材と、該保持部材により回転自在に保持されている前記回転規制用部材に対して前記所定角度を狭くする回転方向に弾性力を付勢する付勢部材とを備え、前記規制位置設定手段は、前記回転規制用部材が前記付勢手段により回転しようとする付勢力に抗して該回転規制用部材の回転角度を複数段階に設定し、設定された回転角度の前記回転規制用部材の位置を前記規制位置とするレバー手段で構成していることを特徴としている。
【発明の効果】
【００１０】
この発明によれば、照明部支持用部材に連結しているリンク部材の回転を規制することで照明部を立てる角度を調整するため、固定が確実となり、重量が鏡等に対して比較的重いＬＥＤアレイ照明部等を用いても、安定して設定角度を保持することが出来る。
【００１１】
また、レバー操作だけで、角度調整が可能であるため、操作が容易であり、デザイン上もスッキリしたものに出来る。
【発明を実施するための最良の形態】
【００１２】
以下に, 本発明の実施形態に係る照明スタンドの支持構造について図面を参照しつつ詳細に説明する。図１は照明スタンドの支持構造の分解斜視図である。図１〜図３に示すように本発明の照明スタンドの支持構造は、はカバー１、スタンド金具２、押さえ板３、レバー４０、回転用規制部材５、回転台６、バネ７、ベース８からなっている。図２、図３は照明スタンドの支持構造の概略構成図であり、図２、図３は、それぞれ、スタンド角度θを変えたときを示している。また、図４、図５は使用方法を説明する図である。
【００１３】
本実施形態の照明スタンドの支持構造は、平板状の照明部（図示せず）が一体的に取り付けられるベース８に一部が支持される照明部支持用金具（スタンド部２０）と、このスタンド部２０をその支持点を中心に所定角度内においてのみ回転自在とする回転規制部１０とを備えている。
【００１４】
スタンド金具２は、コ字状のスタンド部２０と後述のリンク部材２１とを一体にして構成され、このスタンド部２０の両側は、後述の１対の押え板３によりベース８に回転自在に支持されている。
【００１５】
回転規制部１０は、前記コ字状のスタンド部２０と一体的に設けられているリンク部材２１を含む。このリンク部材２１は、前記スタンド部２０が押え板３によって支持されている支持点を回転中心として所定の半径Ｒ（図２参照）で前記スタンド部２０の回転に応じて回転する。
【００１６】
ベース８には所定長離して１対の押え板３が設けられ、この押え板３でスタンド金具２を回転自在に保持している。
【００１７】
回転規制部１０は、さらに、前記１対の押え板３の内側において、ベース８に設けられている１対の半円形板状の回転台６（本発明の保持部材）と、この回転台６に支持される回転軸５１及び該回転軸５１に一体的に設けられている規制部５２と、バネ７（本発明の付勢部材）とを備えている。回転軸５１と該回転軸５１に一体的に設けられている規制部５２とで本発明の回転規制用部材５を構成している。前記バネ７は、回転軸５１に巻き付けられ、一端が回転台６に、他端が回転軸５１に固定され、規制部５２を図示Ａ回転方向に回転して所定角度θを狭くするよう弾性力を付勢している。
【００１８】
回転規制部１０は、さらに、前記回転軸５１と規制部５２とで規制位置を複数段階に設定する規制位置設定手段４を備えている。この規制位置設定手段４は、前記回転軸５１と規制部５２に一体的に設けられている段形状部５３と、この段形状部５３の各段部に当接することにより前記バネの付勢力に抗して規制部５２の回転角度を複数段階に設定し、設定された回転角度の前記規制部５２の位置を規制位置とするレバー４０とで構成される。なお、カバー１は、回転規制部１０の全体を覆うために設けられている。
【００１９】
次に作用を説明する。
【００２０】
図４に示す様に、ベース８を机等の平面板上に立てるときに、スタンド部２０をＰ方向に起こす。このとき、レバー４０の規制位置に応じて、スタンド部２０がＰ方向に最大限回転できる角度θ（所定角度）が決まる。レバー４０をＡ方向に移動するに従って角度θは大きくなる。このようにして、角度θを決めてから、図５のように机等の平面板上にベース８を立てる。図５において角度αは机等とベース８とのなす角度であり、１８０度−θである。
【００２１】
本実施形態では、照明部支持用部材としてコ字状のスタンド部２０を用いたが、その他、図６に示す様なＴ字状のスタンド部２０′であっても良い。
【００２２】
また、ベース８には、平面状の照明部（例えばＬＥＤアレイ照明部）が一体的に設けられるが、ベース８そのものを平面状の照明部にしてもよい。
【図面の簡単な説明】
【００２３】
【図１】照明スタンドの支持構造の分解斜視図
【図２】第１のスタンド角度θに対する支持構造部の位置関係を示す図
【図３】第２のスタンド角度θに対する支持構造部の位置関係を示す図
【図４】使用方法を説明する図
【図５】使用方法を説明する図
【図６】他の実施例を示す図
【図７】パネル状の照明部を支持する構造の一例
【図８】パネル状の照明部を支持する構造の一例
【図９】パネル状の照明部を支持する構造の一例
【図１】
2005050735.tif 000003
【図２】
2005050735.tif 000004
【図３】
2005050735.tif 000005
【図４】
2005050735.tif 000006
【図５】
2005050735.tif 000007
【図６】
2005050735.tif 000008
【図７】
2005050735.tif 000009
【図８】
2005050735.tif 000010
【図９】
2005050735.tif 000011